(57)【特許請求の範囲】
【請求項１】
天板と、該天板を支持する脚部と、を備える机であって、
前記脚部は、前記天板の下方に前記天板を配置可能な大きさの空間が形成されており、それにより当該机は上下に積み重ねることが可能に構成されており、
また当該机は、前記天板の裏面において左右一対に設けられ、当該机を上下に積み重ねたときに下方に位置する他の机の前記天板と接触して当該机を支持する支持部を備え、
前記支持部は、
前記天板の裏面から下方に延びる支柱と、該支柱から側方かつ上方に延び出す係止片と、を有するフック部と、
前後方向に間隔を空けて設けられる第１領域及び第２領域を有し、該第１領域及び第２領域にて当該机を上下に積み重ねたときに前記他の机の前記天板と接触する接触部と、
前記支柱と交差するように前後方向に延びる柱状の部材であって、前記支柱の延び出した先と前記接触部とを連結する連結部と、を備える
ことを特徴とする机。
【請求項２】
天板と、該天板を支持する脚部と、を備える机であって、
前記脚部は、前記天板の下方に前記天板を配置可能な大きさの空間が形成されており、それにより当該机は上下に積み重ねることが可能に構成されており、
また当該机は、前記天板の裏面において左右一対に設けられ、当該机を上下に積み重ねたときに下方に位置する他の机の前記天板と接触して当該机を支持する支持部を備え、
前記支持部は、
前記天板の裏面から下方に延びる支柱と、該支柱から側方かつ上方に延び出す係止片と、を有するフック部と、
前後方向に間隔を空けて設けられる第１領域及び第２領域を有し、該第１領域及び第２領域にて当該机を上下に積み重ねたときに前記他の机の前記天板と接触する接触部と、
前記支柱と前記接触部とを連結する連結部と、
前記支柱に対して前後方向に間隔を空けて設けられ、上下方向に長さを有し、前記連結部と連結する補助柱と、を備える
ことを特徴とする机。
【請求項３】
前記第１領域及び前記第２領域は、前記接触部の下端に形成される前後方向に長さを有する平面上の領域である
ことを特徴とする請求項１又は請求項２に記載の机。
【請求項４】
前記支柱は、前記第１領域及び前記第２領域の間に位置している
ことを特徴とする請求項１から請求項３のいずれか１項に記載の机。
【請求項５】
前記第１領域及び前記第２領域のいずれか一方は、前記支柱の下端に設けられている
ことを特徴とする請求項１から請求項３のいずれか１項に記載の机。
【請求項６】
前記支持部には、対となる前記支持部を向く側面に、前記天板と略平行に配置される棚部材の端部を保持する保持部が設けられている
ことを特徴とする請求項１から請求項５のいずれか１項に記載の机。
【請求項７】
前記支柱は、前記天板の前後方向の中央部又は中央部よりも着席者側の位置に設けられている
ことを特徴とする請求項１から請求項６のいずれか１項に記載の机。
【発明の詳細な説明】
【技術分野】
【０００１】
本発明は、上下方向に積み重ね可能である机に関する。
【背景技術】
【０００２】
従来、上下方向に積み重ねること（スタッキング）が可能である机が提案されている（特許文献１参照）。
【先行技術文献】
【特許文献】
【０００３】
【特許文献１】特開２０１２−１００９３６号公報
【発明の概要】
【発明が解決しようとする課題】
【０００４】
特許文献１の机において、天板の裏面にフックを設けると、スタッキングの際にフックの下端が下方の机の天板に接触する。フックのみで天板に接触すると、スタッキングしたときに上方の机の安定性が悪くなってしまう。
【０００５】
本発明の目的は、積み重ねたときの安定性の向上を図ることができる机を提案することである。
【課題を解決するための手段】
【０００６】
上述した問題を解決するためになされた発明は、天板と、該天板を支持する脚部と、を備える机であって、前記脚部は、前記天板の下方に前記天板を配置可能な大きさの空間が形成されており、それにより当該机は上下に積み重ねることが可能に構成されており、前記天板の裏面において左右一対に設けられ、当該机を上下に積み重ねたときに下方に位置する他の机の前記天板と接触して当該机を支持する支持部を備え、前記支持部は、前記天板の裏面から下方に延びる支柱と、該支柱から側方かつ上方に延び出す係止片と、を有するフック部と、前後方向に間隔を空けて設けられる第１領域及び第２領域を有し、該第１領域及び第２領域にて当該机を上下に積み重ねたときに前記他の机の前記天板と接触する接触部と、前記支柱と前記接触部とを連結する連結部と、を備えることを特徴とする。
【０００７】
このように構成された机は、上下に積み重ねたときに接触部が少なくとも前後の２つの領域で下方の机の天板に接触するため、上方の机の姿勢が安定する。そして上記机において接触部は連結部によってフック部の支柱に連結されているため、フック部と接触部とを連結することでフック部を接触部の強度向上に用いることができ、机を積み重ねたときの安定性の向上を図ることができる。
【０００８】
なお接触部は支柱によってのみ支持される構成に限定されず、別の構造によって天板の裏面に固定され、連結部によって支柱と連結することで補助的に強度の向上がなされるものであってもよい。
【０００９】
また上述した本発明の机は、前記第１領域及び前記第２領域が前記接触部の下端に形成される前後方向に長さを有する平面上の領域であってもよい。換言すると、前後方向に長さを有する１つの平面上に第１領域と第２領域とが存在していてもよい。
【００１０】
このように構成された机は、接触部が第１領域と第２領域とを含む広い面で下方の机の天板に接触するため、机を積み重ねたときの安定性を高くすることができる。
また上述した本発明の机は、前記支柱が前記第１領域及び前記第２領域の間に位置していてもよい。このように構成された机は、支柱が第１領域及び第２領域の間に位置することで接触部をバランスよく支持することができる。またこの構成において、前記連結部は、前記支柱の下部から前後方向に延び出す柱状の部材であってもよい。
【００１１】
また上述した本発明の机は、前記第１領域及び前記第２領域のいずれか一方が前記支柱の下端に設けられていてもよい。このように構成された机は、机を積み重ねたときの荷重を支柱にて受けることができる。
【００１２】
また上述した本発明の机において、前記支持部には、対となる前記支持部を向く側面に、前記天板と略平行に配置される棚部材の端部を保持する保持部が設けられていてもよい。このように構成された机は、支持部により棚部材を保持することができる。なお、棚部材が天板（より具体的には上面）と平行となることで、棚部材への荷物の出し入れを容易に行うことができ、また棚部材から荷物が滑り落ちることが抑制される。
【００１３】
また上述した本発明の机は、前記支柱が、前記天板の前後方向の中央部又は中央部よりも着席者側の位置に設けられていてもよい。このように構成された机は、フック部が着席者の使用しやすい位置にあるため、着席者はフック部を簡便に使用することができる。
【００１４】
なお、上記本発明の構成においては上下の方向を規定しているが、これらの方向は机を通常の態様で使用する場合の方向である。
【図面の簡単な説明】
【００１５】
【図１】本実施形態の机を説明する図であって、（Ａ）が正面図であり、（Ｂ）が平面図であり、（Ｃ）が側面図である。
【図２】（Ａ）が机を左右方向に連結した状態を示す正面図であり、（Ｂ）が机をスタッキングした状態を示す側面図である。
【図３】本実施形態の支持部を説明する図であって、（Ａ）が右側面図、（Ｂ）が平面図、（Ｃ）が左側面図、（Ｄ）が正面図である。
【図４】本発明の支持部を説明する図であって、（Ａ）が図３（Ａ）のＡ−Ａ断面図、（Ｂ）が図３（Ａ）のＢ−Ｂ断面図、（Ｃ）が図３（Ａ）のＣ−Ｃ断面図、（Ｄ）が図３（Ａ）のＤ−Ｄ断面図である。
【図５】本実施形態の棚部材を説明する図であって、（Ａ）が平面図であり、（Ｂ）が正面図であり、（Ｃ）が側面図である。
【図６】支持部に棚部材を取り付けた状態を説明する図であって、（Ａ）が平面図であり、（Ｂ）が正面図であり、（Ｃ）が側面図である。
【図７】机を左右方向に連結した状態の支持部を示す拡大図である。
【図８】支持部の変形例を示す側面図である。
【図９】支持部の変形例を示す側面図である。
【発明を実施するための形態】
【００１６】
以下に本発明の実施形態を図面と共に説明する。
（１）全体構成
本実施形態の机１は、図１（Ａ）〜図１（Ｃ）に示すように、天板１１と、左右それぞれにて天板１１を支持する一対の脚部１３Ｌ及び脚部１３Ｒと、天板１１の前側に垂下状に設けられる幕板１５と、天板１１の裏面において左右一対に設けられる支持部１７と、それら一対の支持部により支持される棚部材１９と、を備えている。
【００１７】
なお本実施形態の机１は使用者の着席位置が予め想定されるものであって、幕板１５の設けられていない側、つまり天板１１の後方が着席側となる。またこの机１を説明するにあたって、使用者が机１に向かって着席した状態の使用者（着席者）を基準として左右の方向を説明する。そのため、図１（Ａ）、（Ｂ）の左右は図面の方向とは逆になっている。また、図１（Ｃ）の右側面図は机１の左側を示すものとなる。
【００１８】
天板１１は、前後方向及び左右方向に広がる略矩形形状であって、角部分に丸みを有する板状の部材である。
脚部１３Ｌ及び脚部１３Ｒは、外観が棒状の金属パイプを屈曲及び溶接して形成されている。脚部１３Ｌ及び脚部１３Ｒはいずれも天板から下方に延び出した部分が略Ｕ字形状となっている。
【００１９】
脚部１３Ｌは、前後に間隔を空けて配置された前脚２１Ｌ及び後脚２３Ｌと、前脚２１Ｌ及び後脚２３Ｌを連結する連結部２５Ｌと、前脚２１Ｌに連結され下方に延びる下脚２９Ｌと、を備えている。
【００２０】
また脚部１３Ｒは、前後に間隔を空けて配置された前脚２１Ｒ及び後脚２３Ｒと、前脚２１Ｒ及び後脚２３Ｒを連結する連結部２５Ｒと、前脚２１Ｒに連結され下方に延びる下脚２９Ｒと、を備えている。
【００２１】
下脚２９Ｌと下脚２９Ｒの上端は、下脚連結杆２７により結ばれている。下脚２９Ｌ及び下脚２９Ｒの下端には前脚端３１が設けられている。
後脚２３Ｌ及び後脚２３Ｒの下端には後脚端３５が設けられている。図１（Ｃ）に示されるように、左右の後脚端３５は前後方向に関しては同じ位置に設けられている。後脚２３Ｌは略鉛直方向に延びている一方、後脚２３Ｒは上部が前方に傾斜するように延びている。また連結部２５Ｌの前部は、連結部２５Ｒの前部に比べて前方の位置から前脚２１Ｌに向かって斜め上に折り曲げられている。
【００２２】
脚部１３Ｌ及び脚部１３Ｒがこのような形状であるため、机１は図２（Ａ）に示すように脚部の一部を交差して左右に並べて連結することが可能となっている。天板１１を左右に並べた状態において、一方の机１の後脚２３Ｒは他方の机１の後脚２３Ｌよりも他方の机１の内側に位置している。このとき、後脚２３Ｒが前傾しており、また連結部２５Ｒが連結部２５Ｌよりも後方から上方に折り曲げられているため、脚部１３Ｌ及び脚部１３Ｒは互いの配置の妨げにならない。
【００２３】
前脚２１Ｌの上端と前脚２１Ｒの上端は、幕板１５の後方に配置される左右方向に長さを有する第１横設部４１によって連結されている。また後脚２３Ｌの上端及び後脚２３Ｒの上端は、第２横設部４３によって連結されている。
【００２４】
また第１横設部４１及び第２横設部４３に架け渡された架け渡し部４５が左右１カ所ずつ設けられている。天板１１は、架け渡し部４５に固定される。
なお図１（Ａ）〜図１（Ｃ）などに示すように、前脚２１Ｌ，２１Ｒはいずれも天板１１の下方の空間に設けられており、後脚２３Ｌ，２３Ｒはいずれも天板１１の下方の空間から左右方向の外側に外れた位置に設けられている。
【００２５】
その結果、後脚２３Ｌ及び後脚２３Ｒの間の距離が天板の左右方向の長さよりも長くなり、天板１１の下方における前脚２１Ｌ，２１Ｒの後方には天板１１を配置可能な大きさの空間が形成される。よって、机１は図２（Ｂ）に示すように上下に積み重ねる（スタッキングする）ことが可能となる。
【００２６】
幕板１５は、天板１１の前端部において、幕板１５の主たる面と天板１１の前端とがほぼ揃うように配置されている。
支持部１７は、図３（Ａ）〜（Ｄ）及び図４（Ａ）〜（Ｄ）に示すように、支柱５１、係止片５３、補助柱５５、上柱５７、下柱５９、を有する。支柱５１、補助柱５５、上柱５７、及び下柱５９の間は開口が形成されている。支持部１７は上述したように左右一対設けられており、左右とも同一の形状である。図３（Ａ）の支持部１７は、図１（Ｃ）と同じ向きの支持部１７を示している。
【００２７】
なお、支柱５１と係止片５３とにより、鞄の持ち手などを引っかけることができるフックが構成される。つまり、支柱５１と係止片５３とが本発明におけるフック部の一例である。また、下柱５９が本発明における接触部、連結部、及び保持部の一例である。
【００２８】
なお以下の支持部１７の説明において、便宜上、係止片５３が突出している方向を外側方向、その反対を内側方向として説明する。この内外方向は上述した左右方向に対応する方向である。なお図１（Ａ）に示されるように、係止片５３は左側の支持部１７では左側に突出しており、右側の支持部１７では右側に突出するように配置されている。
【００２９】
支柱５１は上下方向に長さを有しており、前後及び上下方向に拡がる支柱主板５１ａと、支柱主板５１ａの前後両端から内側方向に拡がる支柱側板５１ｂと、を有している。
係止片５３は、支柱５１の下部における外側方向を向く面から延び出し、延び出した先端が上方向を向いている板状のフック主板５３ａと、フック主板５３ａから下方向に拡がるフック側板５３ｂと、を有している。
【００３０】
補助柱５５は、支柱５１の前後に間隔を空けて１つずつ設けられている。補助柱５５は上下方向に長さを有しており、前後及び上下方向に拡がる補助柱主板５５ａと、補助柱主板５５ａの前後両端から内側方向に拡がる補助柱側板５５ｂと、を有している。
【００３１】
上柱５７は前後方向に長さを有しており、前後及び上下方向に拡がる上柱主板５７ａと、上柱主板５７ａの上端から内側方向に拡がる上柱上側板５７ｂと、上柱主板５７ａの下端から内側方向に拡がる上柱下側板５７ｃと、を有している。
【００３２】
上柱５７は、支柱５１を中心に支柱５１の上端から前後に延びており、前後それぞれに配置されている補助柱５５の上端と連結している。
また上柱５７の上柱上側板５７ｂには、４箇所にネジ穴６１が設けられており、このネジ穴６１にネジを通して天板１１に設けられた図示しないネジ穴に締結することで、支持部１７は天板１１に固定される。
【００３３】
下柱５９は前後方向に長さを有しており、前後及び上下方向に拡がる下柱主板５９ａと、下柱主板５９ａの上端から内側方向に拡がる下柱上側板５９ｂと、下柱主板５９ａの下端から内側方向に拡がる下柱下側板５９ｃと、を有している。
【００３４】
下柱５９は、支柱５１を中心に支柱５１の下端から前後に延びており、前後それぞれに配置されている補助柱５５の下端と連結している。下柱５９の下端は、天板１１の主たる面と平行であって前後方向に長さを有する平面となっている。
【００３５】
下柱５９における支柱５１と補助柱５５との間の領域には、突起部６３、補助突起部６５、及び溝部６７が形成されている。溝部６７は支柱５１の前後それぞれに形成されており、溝部６７を中心としたその両側に突起部６３と補助突起部６５が一つずつ形成されている。
【００３６】
突起部６３は下柱上側板５９ｂから下方に向けて突出している。突起部６３の突出した下端と下柱下側板５９ｃとの間隔は、後述する棚部材１９のパイプ幅よりも小さくなっている。
【００３７】
補助突起部６５は下柱上側板５９ｂから下方に向けて突出している。その突出量は突起部６３よりも小さいため、補助突起部６５の突出した下端と下柱下側板５９ｃとの間隔は、棚部材１９のパイプ幅とほぼ同じとなっている。
【００３８】
溝部６７は下柱主板５９ａの内側及び下柱上側板５９ｂの下側に形成された溝であり、後述する棚部材１９の位置決め片７５よりもわずかに大きく位置決め片７５が収まる大きさとなっている。
【００３９】
棚部材１９は、図５（Ａ）〜図５（Ｃ）に示すように、円筒形の金属パイプからなるものであって、パイプを折り曲げて矩形の枠状に形成された２つの第１枠状体７１と２つの第２枠状体７３とを有する。第１枠状体７１は第２枠状体７３よりも左右方向に長く、前後方向に短くなっている。
【００４０】
棚部材１９は、第１枠状体７１をその長手方向と交差する方向に２つ並べ、それら両方に架かるように第２枠状体７３を第１枠状体７１の上方にて上述した長手方向に２つ並べて配置してなる。各枠状体は溶接により接合されている。
【００４１】
２つの第１枠状体７１のうちの一方には、左右両端に位置決め片７５が設けられている。位置決め片７５はパイプの上側及び左右側の周囲に取り付けられており、位置決め片７５の部分のみ周囲のパイプより太くなっている。
【００４２】
棚部材１９は上述したように一対の支持部１７によって支持される。具体的には、図６（Ａ）〜図６（Ｃ）に示すように、第１枠状体７１の長手方向の端部が、支持部１７の下柱５９の下柱主板５９ａ、下柱上側板５９ｂ、下柱下側板５９ｃによって形成される空間に挿入される。
【００４３】
このとき、第１枠状体７１の左右の端部は補助突起部６５と下柱下側板５９ｃの間に挟まってがたつきが抑制され、突起部６３によってパイプが抜けることが抑制される。
また位置決め片７５は溝部６７に収まる。上述したように、位置決め片７５は上下方向に関しては第１枠状体７１を構成するパイプの上側の周囲にのみ設けられており、この部分が溝部６７における下柱上側板５９ｂに形成された部分に収まる。ここで、棚部材１９を上下逆にして支持部１７に取り付けようとすると、下柱下側板５９ｃには溝が形成されていないため位置決め片７５が溝部６７に収まらない。よって、支持部１７に対する棚部材１９の上下方向の嵌め間違いが抑制される。
【００４４】
（２）作用及び効果
机１をスタッキングさせたときの支持部１７の拡大図を図７に示す。支持部１７の下端、即ち下柱５９の下端は前後方向に長さを有する平面となっているため、スタッキングさせたときには、下方の机１の天板１１には上方の机１の支持部１７における下柱５９の下端面が接触する。つまり、少なくとも前後方向に間隔を空けた２つの領域（補助柱５５の下部の第１領域１７ａ及び第２領域１７ｂ）で下方の机の天板１１と接触するため、上方の机１は安定した状態で積み重ねられる。
【００４５】
また、下柱５９は、支柱５１から前後に延び出しているため、支柱５１及び補助柱５５にて支持されることとなり、その強度が高くなり、スタッキング時の安定性の向上を図ることができる。
【００４６】
また、支柱５１は、下柱５９下端の接触面における前後の端部に位置する第１領域１７ａ及び第２領域１７ｂの間に位置している。よって、スタッキング時に第１領域１７ａ及び第２領域１７ｂの両方をバランスよく支えることができ、支柱５１による強度向上の効果を十分に得ることができる。
【００４７】
また、支柱５１は天板１１の前後方向の中央部に設けられている。そのため、机１の着席者が係止片５３を使いやすく都合がよい。仮に、係止片５３が中央部より前方に設けられている場合、係止片５３に掛けた鞄などが天板１１より前方に出やすくなり、また着席者から遠くなり使い勝手が悪くなってしまう恐れがある。一方、上記実施形態ではそのような恐れがない。
【００４８】
（３）その他の実施形態
以上本発明の実施形態について説明したが、本発明は、上記実施形態に何ら限定されることはなく、本発明の技術的範囲に属する限り種々の形態をとり得ることはいうまでもない。
【００４９】
例えば上記実施形態においては、下柱５９の下端が前後方向に長さを有する平面となっている構成を例示したが、スタッキング時に下方の机１の天板１１と接触する、前後方向に間隔を空けて設けられる第１領域及び第２領域が設けられていれば、それらが１つの平面上に設けられていなくともよい。
【００５０】
例えば図８（Ａ）に示す支持部１０１のように、支柱５１の下端部１０３と、補助柱５５の下端部１０５とが支持部１０１の下端に位置しており、これらがスタッキング時に下方の机１の天板１１に接触する構成であってもよい。支柱５１と補助柱５５とは連結部１０７によって連結されている。２つの下端部１０５が本発明における接触部の一例であって、その下端面が本発明における第１領域及び第２領域の一例である。
【００５１】
また図８（Ｂ）に示す支持部１１１のように、支柱５１の下端部１０３がなくても２つの下端部１０５があれば安定して机１を支持することができる。また図８（Ｃ）に示す支持部１２１のように、補助柱５５を有さない構成であってもよい。
【００５２】
また上記実施形態においては、支柱５１の前後に第１領域１７ａ及び第２領域１７ｂが設けられる構成を例示したが、支柱５１の前後いずれか一方に第１領域及び第２領域が設けられていたり、支柱５１の下部に第１領域及び第２領域のいずれか一方が設けられていたりしてもよい。
【００５３】
図９に示す支持部１３１は、支柱５１と１つの補助柱５５を有しており、その下端を連結部１０７にて連結している。この場合、支柱５１の下端を第１領域とし、補助柱５５の下端を第２領域とすることができる。
【００５４】
また、支柱５１は天板１１の前後方向の中央部に設けられている構成を例示したが、天板１１の中央部以外に設けられていてもよい。その際、支柱５１を中央部よりも着席者側の位置とすることで、着席者による係止片５３（フック部）の使い勝手が良くなる。
【００５５】
また上記実施形態においては、左右の支持部１７が同一の形状である構成を例示したが、左右の支持部の形状が同一である必要はない。なお、天板１１からの高さを揃えることでスタッキングしたときに机を安定させることができる。
【００５６】
また上記実施形態にて示した棚部材１９はあくまで一例であり、板状、網状など様々な形状の棚部材を用いることができる。上述した棚部材１９は円筒形の金属パイプを折り曲げて形成されたものを例示したが、筒形ではない棒状の部材を用いてもよい。また、棚部材は用いない構成であってもよい。
【００５７】
なお上記実施形態においては、下柱５９の下端面の前後端部近傍の領域を、本発明における支持部の第１領域及び第２領域として説明をした。しかしながら、第１領域と第２領域は１つの平面上に存在していてもよいし、物理的に離れている平面上に存在していてもよい。また、第１領域及び第２領域は平面以外の形状である部分に位置していてもよい。例えば曲面や先端が尖った部材によって下方の机の天板と接触していてもよい。
【００５８】
換言すると、支持部における下方の机の天板と接触する部分自体がどのような形状となっていてもよく、少なくとも前後方向に間隔を有する２つの領域で天板と接触していればよい。
【符号の説明】
【００５９】
１…机、１１…天板、１３Ｌ，１３Ｒ…脚部、１５…幕板、１７…支持部、１７ａ…第１領域、１７ｂ…第２領域、１９…棚部材、２１Ｌ，２１Ｒ…前脚、２３Ｌ，２３Ｒ…後脚、２５Ｌ，２５Ｒ…連結部、２７…下脚連結杆、２９Ｌ，２９Ｒ…下脚、３１…前脚端、３５…後脚端、４１…第１横設部、４３…第２横設部、４５…架け渡し部、５１…支柱、５１ａ…支柱主板、５１ｂ…支柱側板、５３…係止片、５３ａ…フック主板、５３ｂ…フック側板、５５…補助柱、５５ａ…補助柱主板、５５ｂ…補助柱側板、５７…上柱、５７ａ…上柱主板、５７ｂ…上柱上側板、５７ｃ…上柱下側板、５９…下柱、５９ａ…下柱主板、５９ｂ…下柱上側板、５９ｃ…下柱下側板、６１…ネジ穴、６３…突起部、６５…補助突起部、６７…溝部、７１…第１枠状体、７３…第２枠状体、７５…位置決め片、１０１…支持部、１０３…下端部、１０５…下端部、１０７…連結部、１１１…支持部、１２１…支持部、１３１…支持部。
【図１】
0006453591.tif 000002
【図２】
0006453591.tif 000003
【図３】
0006453591.tif 000004
【図４】
0006453591.tif 000005
【図５】
0006453591.tif 000006
【図６】
0006453591.tif 000007
【図７】
0006453591.tif 000008
【図８】
0006453591.tif 000009
【図９】
0006453591.tif 000010